(57)【要約】【課題】短時間でアスの調整を行うことができる対物レンズと、これを具備する顕微鏡を提供すること。【解決手段】複数の光学素子Ｌ１〜Ｌ４をそれぞれ保持した略円筒状のレンズ保持枠２１〜２４と、前記レンズ保持枠を内蔵する鏡筒部材１０とを有し、前記レンズ保持枠の少なくとも一つのレンズ保持枠２２は、前記光学素子を保持する第１レンズ保持枠２２ａと、前記第１レンズ保持枠をネジで保持する第２レンズ保持枠２２ｂとを有し、前記鏡筒部材は、径方向に沿って形成された少なくとも一つの長孔１１、１２を有することを特徴とする対物レンズ１。【選択図】図３
2013088606.tif 000002
【特許請求の範囲】
【請求項１】
複数の光学素子をそれぞれ保持した略円筒状のレンズ保持枠と、
前記レンズ保持枠を内蔵する鏡筒部材とを有し、
前記レンズ保持枠の少なくとも一つのレンズ保持枠は、前記光学素子を保持する第１レンズ保持枠と、前記第１レンズ保持枠をネジで保持する第２レンズ保持枠とを有し、
前記鏡筒部材は、径方向に沿って形成された少なくとも一つの長孔を有することを特徴とする対物レンズ。
【請求項２】
前記長孔は、前記ネジに対応する部分に形成されていることを特徴とする請求項１に記載の対物レンズ。
【請求項３】
前記第２レンズ保持枠は、少なくとも一つの貫通穴を有し、
前記長孔は、前記貫通穴に対応する部分に形成されていることを特徴とする請求項２に記載の対物レンズ。
【請求項４】
請求項１から３のいずれか一項に記載の対物レンズを具備することを特徴とする顕微鏡。
【発明の詳細な説明】
【技術分野】
【０００１】
本発明は、対物レンズと、これを備える顕微鏡に関する。
【背景技術】
【０００２】
対物レンズは、複数の光学素子（以後、本明細書中ではレンズという）と、これらレンズそれぞれを保持する複数のレンズ保持部材と、複数のレンズ保持部材を内部に収容する鏡筒とから構成されている。そして、対物レンズの光学性能のうちでアス（非点収差）は、上記レンズの面変形が大きな要因となっており、このアスを低減するために各レンズを光軸回りにそれぞれ回転することで低減することが提案されている（例えば、特許文献１を参照。）
【先行技術文献】
【特許文献】
【０００３】
【特許文献１】特開２００６−６４８８６号公報
【発明の概要】
【発明が解決しようとする課題】
【０００４】
アスを低減するためには、複数のレンズの形状変形がお互いにアスを打ち消す方向になるように各レンズを回転させて調整する必要がある。また、形状変形のあるレンズを特定できていない場合は、無作為にレンズを選択して調整しなければならず、調整に非常に手間がかかる。また、レンズの回転調整量も分からないことから、レンズを一定量回転させてレンズ鏡筒に組み込む作業の繰り返しとなり、調整作業が非常に煩雑となる。さらに、複数のレンズのうち形状変形が一つのレンズしかない場合には、アスを打ち消すためのレンズが一つしかないため調整不可能となる。
【０００５】
本発明は、上記課題に鑑みてなされたものであり、短時間でアスの調整を行うことができる対物レンズと、これを具備する顕微鏡を提供する。
【課題を解決するための手段】
【０００６】
上記課題を解決するため、本発明は、複数の光学素子をそれぞれ保持した略円筒状のレンズ保持枠と、前記レンズ保持枠を内蔵する鏡筒部材とを有し、前記レンズ保持枠の少なくとも一つのレンズ保持枠は、前記光学素子を保持する第１レンズ保持枠と、前記第１レンズ保持枠をネジで保持する第２レンズ保持枠とを有し、前記鏡筒部材は、径方向に沿って形成された少なくとも一つの長孔を有することを特徴とする対物レンズを提供する。
【０００７】
また、本発明は、前記対物レンズを具備する顕微鏡を提供する。
【発明の効果】
【０００８】
本発明によれば、短時間でアスの調整を行うことができる対物レンズと、これを具備する顕微鏡を提供することができる。
【図面の簡単な説明】
【０００９】
【図１】実施形態に係る対物レンズを具備する顕微鏡を示す図。
【図２】実施形態に係る対物レンズを示す図。
【図３】図２に示す対物レンズのＡ−Ａ線に沿った断面図。
【図４】アス調整レンズのレンズ枠の断面拡大図。
【発明を実施するための形態】
【００１０】
以下、本願の一実施形態にかかる対物レンズを具備する顕微鏡について図面を参照しつつ説明する。なお、以下の実施の形態は、発明の理解を容易にするためのものに過ぎず、本願発明の技術的思想を逸脱しない範囲において当業者により実施可能な付加・置換等を施すことを排除することは意図していない。
【００１１】
図１において、顕微鏡１００は、顕微鏡本体１０１と、顕微鏡本体１０１に配置された接眼鏡筒１０２と、後述する複数の対物レンズ１を観察位置に配置するレボルバ１０４と、標本１０５を載置するステージ１０６と、透過照明用光源１０７とから構成されている。
【００１２】
観察者は、透過照明用光源１０７からの照明光をステージ１０６に載置した標本１０５に照射し、フォーカスノブ１０８を回転させることでステージ１０６を上下動し、標本１０５に対物レンズ１をフォーカシングし、対物レンズ１で標本１０５からの光を集光して、接眼鏡筒１０２を介して接眼レンズ１０９で標本１０５の拡大像を観察する。なお、本願に係る対物レンズ１を装着する顕微鏡は、図１に示す正立型顕微鏡に限らず倒立型顕微鏡であっても良い。また、照明は、透過照明に限らず反射照明であっても良い。
【００１３】
次に、顕微鏡１００で使用される一実施形態にかかる対物レンズ１について図２〜図４を参照しつつ説明する。
【００１４】
図２に示すように、実施形態に係る対物レンズ１は、レンズ鏡筒１０と、該レンズ鏡筒１０の外周部にレンズ鏡筒１０の周方向に沿って第１長孔１１と第２長孔１２が形成されている。また、対物レンズ１の上部には、対物レンズ１をレボルバ１０４のレンズ取り付け孔に螺合するためのネジ１５が形成されている。
【００１５】
第１長孔１１は、後述するアス調整レンズに変形（面変形）を与えるためのネジ１３を調整するための長孔で、周方向に沿って少なくとも一つ形成されている。
【００１６】
また、第２長孔１２は、後述するアス調整レンズを対物レンズ１の光軸回りに回転するための孔１４が操作できるようにあけられた長孔であり、周方向に沿って少なくとも一つ形成されている。
【００１７】
対物レンズ１に複数のレンズを保持する状態について図３を参照しつつ説明する。図３において、対物レンズ１は、複数のレンズＬ１〜Ｌ４が円筒状の各レンズ保持枠２１、２２、２３、２４に接着固定され、レンズ保持枠２１〜２４をレンズ鏡筒１０内に内嵌することで構成される。なお、レンズＬ３は、二枚のレンズが接合された接合レンズであるが、一体として一つの符号Ｌ３で表している。各レンズ保持枠２１〜２４は、それぞれレンズ保持枠２１〜２４の外周部端部がそれぞれ当接している。レンズ保持枠２４のネジ１５方向の端部は、レンズ鏡筒１０の内周に螺合した押さえ環２５に当接している。
【００１８】
対物レンズ１は、レンズ鏡筒１０の先端部１０ａと押さえ環２５とで各レンズ保持枠２１〜２４を締め付けることで各レンズをレンズ鏡筒１０内に固定する。
【００１９】
レンズＬ２は、後述する対物レンズ１のアスを調整するためのアス調整レンズであり、レンズ保持枠２２に接着固定されている。
【００２０】
図３、図４に示すようにレンズ保持枠２２は、先端にレンズＬ２を接着固定する第１レンズ保持枠２２ａと、第１レンズ保持枠２２ａを内嵌して固定する第２レンズ保持枠２２ｂとから構成されている。
【００２１】
第１レンズ保持枠２２ａには、光軸回りの９０度ずつの４箇所にネジ孔３１、３１が形成されている。この４箇所のネジ孔３１、３１に対応する第２レンズ保持枠２２ｂの位置には、皿ネジ１３、１３を挿通する貫通孔３３、３３が形成されている。この貫通孔３３、３３に皿ネジ１３、１３挿通してネジ孔３１、３１に皿ネジ１３、１３を螺合して締め付けることで第１レンズ保持枠２２ａを第２レンズ保持枠２２ｂに固定する。固定した際、皿ネジ１３、１３の頭部は、第２レンズ保持枠２２ｂの外周面から飛び出すことが無いように、皿ネジ１３、１３の頭が隠れる深さをもって貫通孔３１、３１が形成されている。
【００２２】
第２レンズ保持枠２２ｂには、第１レンズ保持枠２２ａに固定されたレンズＬ２を光軸回りに回転するための冶具の先端を通す孔１４、１４が形成されている。
【００２３】
このようにして構成されたレンズＬ２を保持するレンズ保持枠２２は、レンズ鏡筒１０の内側に第２レンズ保持枠２２ｂの外周部を回転可能に嵌合することでレンズＬ２の光軸を各レンズＬ１、Ｌ２，Ｌ４の光軸と略一致させることができる。
【００２４】
以上のような構成により、本実施形態に係る対物レンズ１が構成されている。
次に、本実施形態に係る対物レンズ１のアス調整について説明する。対物レンズ１には複数のレンズＬ１〜Ｌ４が含まれてる。それぞれのレンズＬ１〜Ｌ４は、各レンズ保持部材２１〜２４に接着剤等で接着されている。このため、接着剤の変形やレンズ保持枠２１〜２４をレンズ鏡筒１０内に押さえ環２５で固定した際の変形などでレンズＬ１〜Ｌ４が変形する。この変形によってそれぞれのレンズＬ１〜Ｌ４にアスが発生し、結果としてＬ１〜Ｌ４のアスが統合されたアスとして対物レンズ１のアスが発生する。
【００２５】
本実施形態の対物レンズ１では、レンズＬ２をアス調整レンズとしている。４箇所に配置された皿ネジ１３の対向する２箇所をそれぞれ締め付けることによって、第１レンズ保持枠２２ａとレンズＬ２の接着材を介してレンズＬ２が変形（僅かに楕円状に）する。この変形によりレンズＬ２には、アスが発生する。皿ネジ１３の締め付け具合を調整することで、レンズＬ２の変形量を変えることができるため、結果的にレンズＬ２で発生するアスを調整することができる。
【００２６】
調整の際、作業者はレンズ鏡筒１０内にレンズＬ１〜Ｌ４を各レンズ保持枠２１〜２４を介して配置した後、レンズＬ４を保持するレンズ保持枠２２を光軸回りに回転できる程度に押さえ環２５を締め付ける。
【００２７】
作業者は、この対物レンズ１を図１で示す顕微鏡１００のレボルバ１０４に装着する。ステージ１０６上にピンホールを有する標本１０５を配置して、接眼レンズ１０９でピンホールを観察できるように光源１０７、フォーカスノブ１０８を調整する。作業者が、ピンホールを観察した時、対物レンズ１のアスにより、ピンホール像が楕円状に歪んで観察される。
【００２８】
作業者は、レンズ鏡筒１０の外周に形成された第１長孔１１を介して、皿ネジ１３、１３を締め付ける。これにより、レンズＬ２に任意のアスが発生し、ピンホール像の楕円形状が変化する。その後、作業者は、第２の長孔１２を介して第２のレンズ保持枠２２ｂに形成された孔１４に調整棒を差込、レンズＬ２を光軸回りに一回転ながらピンホール像の変化を観察し、ピンホール像の楕円形状が最小となる位置で止める。
【００２９】
作業者は、皿ネジ１３、１３の締め付けを調整してピンホール像が略円形（略真円）になるようにレンズＬ２を調整する。ピンホール像が略円形になった時に、対物レンズ１のアスが解消される。この状態で、標本を観察することで対物レンズ１のアスがない状態の標本像を観察することができる。
【００３０】
なお、上記説明では、アスの調整を顕微鏡１００に対物レンズ１を装着して行う場合について説明したが、工場出荷前の調整では、専用のアス調整光学系を使用して上記と同様の手順に従って行うことは言うまでもない。
【００３１】
以上、本実施形態によれば、レンズに形状変化を与え、かつ該レンズを回転すことができ、短時間でアスの調整を行うことができる対物レンズと、これを具備する顕微鏡を提供することができる。
【００３２】
なお、上記実施形態では、皿ネジ１３は、周方向に等角度（略９０度）で四個配置した場合について説明したが、皿ネジ１３は、少なくとも一つあれば本願の効果を奏することができる。皿ネジ１３の数が多いほど、アスの調整を容易に行うことが可能になる。
【００３３】
また、上記実施形態では、レンズＬ２を回転する孔１４をアスを発生する皿ネジ１３とは別に配置した例について説明したが、孔１４を設けず皿ネジ１３を用いてレンズＬ２を回転するように構成することもできる。この際、レンズ鏡筒１０の長孔１２は、設けなくても良い。
【００３４】
また、本実施形態では、レンズ鏡筒１０に形成する長孔１１、１２の周方向の長さは、レンズＬ２を孔１４を用いて回転した時、回転に使用している孔１４が長孔１２の一方の端部近傍に達した際、長孔１２の他方の端部近傍の開口部に別の孔１４が出ている状態の長さを有することが好ましい。このように構成することで、レンズＬ２を３６０度任意の角度に回転することができる。あるいは、孔１４を第２レンズ保持部材２２ｂの周方向に沿って複数個形成して、レンズＬ２を回転した時、長孔１２に少なくとも二つの孔１４が見えるように構成することが好ましい。これは、皿ネジ１３を用いてレンズＬ２を回転する場合も同様である。
【００３５】
また、上記実施形態では、アス調整レンズがレンズＬ２一つの場合について説明したが、アス調整レンズは一つに限らず複数個を同様の構成で配置しても良い。複数個配置することでより細かい調整が可能になり、アスを良好に補正することができる。また、アス調整レンズの位置は、上記実施形態のように物体側から二番目のレンズに限らずいずれのレンズであっても良い。また、瞳に近いレンズをアス調整用レンズとすることがより好ましい。瞳に近いレンズで調整することで、より良好にアスを補正することができる。
【００３６】
また、長孔１１、１２には、アス調整後カバー部材で孔を塞ぐことが好ましい。カバーすることで、調整後に触れてずらしてしまう、あるいはゴミの付着を防止することができる。
【符号の説明】
【００３７】
１    対物レンズ
１０  レンズ鏡筒
１１、１２  長孔
１３  皿ネジ（ネジ）
１４  孔
２１、２２、２３、２４  レンズ保持枠
２２ａ  第１レンズ保持枠
２２ｂ  第２レンズ保持枠
２５  押さえ環
１００  顕微鏡
１０１  顕微鏡本体
１０２  接眼鏡筒
１０４  レボルバ
１０５  標本
１０６  ステージ
１０７  透過照明用光源
１０８  フォーカスノブ
Ｌ１、Ｌ２、Ｌ３、Ｌ４  レンズ
【図１】
2013088606.tif 000003
【図２】
2013088606.tif 000004
【図３】
2013088606.tif 000005
【図４】
2013088606.tif 000006